(57)【要約】【課題】シートが帯電している場合であっても、複数のノズルのそれぞれから噴霧された定着液をシートに安定して付与することができる定着装置を提供する。【解決手段】  定着装置９は、ノズルユニット９Ａと、対向電極９Ｂとを備える。ノズルユニット９Ａは、トナー像が形成されたシートＳに定着液を噴霧する。対向電極９Ｂは、ノズルユニット９Ａと間隔を隔てて位置する。対向電極９Ｂには、電圧が印加される。対向電極９Ｂは、第１平板３１と、複数の第１突起３２とを有する。第１平板３１は、第１方向に延びる。複数の第１突起３２は、第１平板３１から、対向電極９Ｂからノズルユニット９Ａに向かう方向である第２方向に延びる。複数の第１突起３２は、第１方向に沿って並ぶ。【選択図】図３
2020166232.tif 000002
【特許請求の範囲】
【請求項１】
トナー像をシートに定着させる定着装置であって、前記トナー像が形成された前記シートに定着液を噴霧するノズルユニットと、前記ノズルユニットと間隔を隔てて位置する対向電極であって、電圧が印加される対向電極と、を備える定着装置であり、
前記対向電極は、
第１方向に延びる第１平板と、
前記第１平板から、前記対向電極から前記ノズルユニットに向かう方向である第２方向に延びる複数の第１突起であって、前記第１方向に沿って並ぶ複数の第１突起と
を有することを特徴とする、定着装置。
【請求項２】
前記ノズルユニットは、
前記定着液を収容可能な筐体と、
前記筐体内の前記定着液を排出するための複数のノズルと
を有することを特徴とする、請求項１に記載の定着装置。
【請求項３】
前記複数の第１突起の数は、前記複数のノズルの数よりも多いことを特徴とする請求項２に記載の定着装置。
【請求項４】
前記複数の第１突起は、前記第２方向において前記ノズルと向かい合う対向突起と、前記第２方向において前記ノズルと向かい合わない非対向突起と、を含むことを特徴とする請求項２または請求項３に記載の定着装置。
【請求項５】
前記複数の第１突起のそれぞれは、前記第２方向において、前記第１平板から前記ノズルユニットへ向かうにつれて細くなることを特徴とする、請求項１から請求項４のいずれか一項に記載の定着装置。
【請求項６】
前記複数の第１突起のそれぞれは、二等辺三角形の平板であることを特徴とする、請求項５に記載の定着装置。
【請求項７】
前記複数の第１突起のそれぞれの先端は、円弧形状を有することを特徴とする、請求項５または請求項６に記載の定着装置。
【請求項８】
前記第１方向は、画像形成装置の感光ドラムから前記定着装置に向けて前記シートが搬送される方向である第３方向と交差し、
前記第２方向は、前記第１方向および前記第３方向の両方と交差することを特徴とする、請求項１から請求項７のいずれか一項に記載の定着装置。
【請求項９】
前記感光ドラムは、前記第１方向に延びる軸について回転可能であることを特徴とする、請求項８に記載の定着装置。
【請求項１０】
前記対向電極は、
前記第３方向において前記第１平板から離れて位置する第２平板であって、前記第１方向に延びる第２平板と、
前記第２平板から前記ノズルユニットに向かって前記第２方向に延びる複数の第２突起であって、前記第１方向に沿って並ぶ複数の第２突起と、
前記第１平板と前記第２平板とを電気的に接続する接続板と
を、さらに有することを特徴とする請求項８または請求項９に記載の定着装置。
【請求項１１】
前記対向電極は、画像形成装置の電源と電気的に接続される接続端子であって、前記第１方向における前記対向電極の一端部に位置する接続端子を、さらに有することを特徴とする請求項１から請求項１０のいずれか一項に記載の定着装置。
【請求項１２】
前記複数の第１突起のそれぞれの先端は、前記第２方向において、前記ノズルユニットと前記接続端子の間に位置することを特徴とする請求項１１に記載の定着装置。
【請求項１３】
前記定着装置は、さらに、
前記第２方向において前記対向電極に対して前記ノズルユニットの反対側に位置する底壁と、前記底壁から前記第２方向に延びる側壁とを備え、前記ノズルユニットから噴霧された定着液を収容可能な収容部であって、前記底壁に前記対向電極が取り付けられた収容部を有するフレームと、
前記対向電極に電圧を印加するための電極であって、前記収容部内において前記対向電極と電気的に接続される第１端子と、前記第１端子から離れて位置する第２端子であって、前記収容部外において前記画像形成装置の電源と電気的に接続される第２端子と、を有する電極と、
を備え、
前記側壁は、開口を有し、
前記電極が前記開口に通った状態で、前記電極は、前記側壁から離間していることを特徴とする請求項１から請求項１０のいずれか一項に記載の定着装置。
【請求項１４】
前記複数の第１突起のそれぞれの先端は、前記第２方向において、前記ノズルユニットと前記第１端子との間に位置することを特徴とする請求項１３に記載の定着装置。
【請求項１５】
前記対向電極は、金属からなることを特徴とする請求項１から請求項１４のいずれか一項に記載の定着装置。
【発明の詳細な説明】
【技術分野】
【０００１】
本発明は、定着装置に関する。
【背景技術】
【０００２】
従来、定着装置は、トナー像をシートに定着させる。定着装置は、ノズルユニットと、対向電極とを備える。ノズルユニットは、トナー像が形成されたシートに定着液を噴霧する。対向電極は、ノズルユニットと間隔を隔てて位置する。対向電極には、電圧が印加される（下記特許文献１参照）。
【先行技術文献】
【特許文献】
【０００３】
【特許文献１】特開２０１７−０６８９８号公報
【発明の概要】
【発明が解決しようとする課題】
【０００４】
しかし、上記した特許文献１に記載の定着装置では、ノズルから噴霧された定着液のミストは、帯電している。そのため、定着液のミストがシートに付与されることにより、シートが帯電する。帯電しているシートにさらに定着液を噴霧した場合、定着液のミストとシートとの間で静電斥力が生じ、定着液のミストが、シートに引き寄せられにくくなる。
【０００５】
そのため、定着液をシートに安定して付与することが困難である。
【０００６】
そこで、本開示の目的は、シートが帯電している場合であっても、複数のノズルのそれぞれから噴霧された定着液をシートに安定して付与することができる定着装置を提供することにある。
【課題を解決するための手段】
【０００７】
（１）本開示の定着装置は、トナー像をシートに定着させる。定着装置は、ノズルユニットと、対向電極とを備える。ノズルユニットは、トナー像が形成されたシートに定着液を噴霧する。対向電極は、ノズルユニットと間隔を隔てて位置する。対向電極には、電圧が印加される。
【０００８】
対向電極は、第１平板と、複数の第１突起とを有する。
【０００９】
第１平板は、第１方向に延びる。
【００１０】
複数の第１突起は、第１平板から第２方向に延びる。第２方向は、対向電極からノズルユニットに向かう方向である。複数の第１突起は、第１方向に沿って並ぶ。
【００１１】
このような構成によれば、複数の第１突起は、対向電極からノズルユニットに向かって延びる。
【００１２】
これにより、対向電極に電圧が印加された状態で、複数の第１突起のそれぞれの先端に、静電気力が集中する。
【００１３】
そのため、対向電極に印加される電圧を高くすることなく、複数の第１突起のそれぞれの先端に、強い電場を形成できる。
【００１４】
そして、複数の第１突起は、第１方向に沿って並ぶ。
【００１５】
そのため、第１方向に沿って形成される強い電場により、複数のノズルのそれぞれから噴霧された定着液を、対向電極に向かって安定して引き寄せることができる。
【００１６】
その結果、シートが帯電している場合であっても、複数のノズルのそれぞれから噴霧された定着液をシートに安定して付与することができる。
【００１７】
（２）ノズルユニットは、筐体と、複数のノズルとを有してもよい。筐体は、定着液を収容可能である。複数のノズルは、筐体内の定着液を排出する。
【００１８】
（３）複数の第１突起の数は、複数のノズルの数よりも多くてもよい。
【００１９】
（４）複数の第１突起は、対向突起と非対向突起とを含んでもよい。対向突起は、第２方向においてノズルと向かい合う。非対向突起は、第２方向においてノズルと向かい合わない。
【００２０】
（５）複数の第１突起のそれぞれは、第２方向において、第１平板からノズルユニットへ向かうにつれて細くなってもよい。
【００２１】
（６）複数の第１突起のそれぞれは、二等辺三角形の平板であってもよい。
【００２２】
（７）複数の第１突起のそれぞれの先端は、円弧形状を有してもよい。
【００２３】
（８）第１方向は、第３方向と交差してもよい。第３方向は、画像形成装置の感光ドラムから定着装置に向けてシートが搬送される方向である。第２方向は、第１方向および第３方向の両方と交差してもよい。
【００２４】
（９）感光ドラムは、第１方向に延びる軸について回転可能であってもよい。
【００２５】
（１０）対向電極は、第２平板と、複数の第２突起と、接続板とを、さらに有してもよい。第２平板は、第３方向において第１平板から離れて位置する。第２平板は、第１方向に延びる。複数の第２突起は、第２平板からノズルユニットに向かって第２方向に延びる。複数の第２突起は、第１方向に沿って並ぶ。接続板は、第１平板と第２平板とを電気的に接続する。
【００２６】
（１１）対向電極は、接続端子を、さらに有してもよい。接続端子は、画像形成装置の電源と電気的に接続される。接続端子は、第１方向における対向電極の一端部に位置する。
【００２７】
（１２）複数の第１突起のそれぞれの先端は、第２方向において、ノズルユニットと接続端子の間に位置してもよい。
【００２８】
（１３）定着装置は、さらに、フレームと、電極とを備えてもよい。フレームは、収容部を有する。収容部は、底壁と、側壁とを備える。底壁は、第２方向において対向電極に対してノズルユニットの反対側に位置する。側壁は、底壁から第２方向に延びる。収容部は、ノズルユニットから噴霧された定着液を収容可能である。対向電極は、底壁に取り付けられている。電極は、対向電極に電圧を印加する。電極は、第１端子と、第２端子とを有する。第１端子は、収容部内において、対向電極と電気的に接続される。第２端子は、第１端子から離れて位置する。第２端子は、収容部外において、画像形成装置の電源と電気的に接続される。側壁は、開口を有する。電極が開口に通った状態で、電極は、側壁から離間している。
【００２９】
このような構成によれば、電極が側壁から離間しているため、対向電極に印加される電圧によって側壁が帯電することを抑制できる。
【００３０】
そのため、ノズルユニットから噴霧された定着液のミストが側壁に引き寄せられることを抑制できる。
【００３１】
その結果、ノズルユニットは、対向電極に向かって、定着液を安定に噴霧することができる。
【００３２】
（１４）複数の第１突起のそれぞれの先端は、第２方向において、ノズルユニットと第１端子との間に位置してもよい。
【００３３】
（１５）対向電極は、金属からなってもよい。
【発明の効果】
【００３４】
本開示の定着装置によれば、シートが帯電している場合であっても、複数のノズルのそれぞれから噴霧された定着液をシートに安定して付与することができる。
【図面の簡単な説明】
【００３５】
【図１】図１は、画像形成装置の概略構成図である。
【図２】図２は、図１に示すノズルユニットの、第３方向から見た側面図である。
【図３】図３Ａは、図１に示す対向電極の斜視図である。図３Ｂは、図３Ａに示す対向電極の、第１方向から見た側面図である。
【図４】図４Ａは、複数のノズルと複数の第１突起との位置関係を説明するための説明図であって、第３方向から見た図である。図４Ｂは、図４Ａとともに、複数のノズルと複数の第１突起との位置関係を説明するための説明図であって、第２方向から見た図である。
【図５】図５は、対向電極の接続端子と画像形成装置の電源との電気的な接続を説明するための説明図である。
【図６】図６Ａは、第１の変形例を説明する説明図である。図６Ｂは、第２の変形例を説明する説明図である。
【図７】図７は、第３の変形例を説明する説明図であって、図８のＡ−Ａ線に相当する断面を示す。
【図８】図８は、図７とともに第３の変形例を説明する説明図である。
【図９】図９は、第３の変形例の対向電極の斜視図である。
【発明を実施するための形態】
【００３６】
１．画像形成装置の概略
図１を参照して、画像形成装置１の概略について説明する。
【００３７】
画像形成装置１は、本体筐体２と、シート供給部３と、感光ドラム４と、帯電装置５と、露光装置６と、現像装置７と、転写装置８と、定着装置９とを備える。
【００３８】
１．１  本体筐体
本体筐体２は、シート供給部３と、感光ドラム４と、帯電装置５と、露光装置６と、現像装置７と、転写装置８と、定着装置９とを収容する。
【００３９】
１．２  シート供給部
シート供給部３は、感光ドラム４にシートＳを供給する。シート供給部３は、シートカセット１０と、ピックアップローラ１１と、搬送ローラ１２とを備える。シートカセット１０は、シートＳを収容する。シートＳは、例えば、印刷用紙である。ピックアップローラ１１は、シートカセット１０内のシートＳを搬送ローラ１２に向かって搬送する。搬送ローラ１２は、ピックアップローラ１１からのシートＳを感光ドラム４に向かって搬送する。
【００４０】
１．３  感光ドラム
感光ドラム４は、軸Ａについて回転可能である。軸Ａは、第１方向に延びる。感光ドラム４は、円筒形状を有する。感光ドラム４は、軸Ａに沿って延びる。
【００４１】
１．４  帯電装置
帯電装置５は、感光ドラム４の表面を帯電させる。帯電装置５は、具体的には、帯電ローラである。なお、帯電装置５は、スコロトロン型帯電器であってもよい。帯電装置５が帯電ローラである場合、帯電装置５は、感光ドラム４の表面に接触する。帯電装置５がスコロトロン型帯電装置である場合、帯電装置５は、感光ドラム４の表面に対して間隔を隔てて位置する。
【００４２】
１．５  露光装置
露光装置６は、感光ドラム４の表面を露光する。詳しくは、露光装置６は、帯電装置５によって帯電された感光ドラム４の表面を露光する。これにより、感光ドラム４の表面に静電潜像が形成される。露光装置６は、具体的には、レーザースキャンユニットである。
なお、露光装置６は、ＬＥＤアレイであってもよい。
【００４３】
１．６  現像装置
現像装置７は、感光ドラム４の表面にトナーを供給する。これにより、静電潜像が現像され、感光ドラム４の表面にトナー像が形成される。現像装置７は、トナー収容部１３と、現像ローラ１４とを有する。
【００４４】
トナー収容部１３は、トナーを収容する。トナーは、トナー粒子と、必要により、外添剤とを含有する。トナー粒子は、結着樹脂と、必要により、着色剤、顔料分散剤、離型剤、磁性体および帯電制御剤を含有する。結着樹脂は、トナー粒子のベースである。結着樹脂は、トナー粒子に含まれる成分を結着する。着色剤は、トナー粒子に所望の色を付与する。着色剤は、結着樹脂中に分散する。顔料分散剤は、着色剤の分散性を向上させる。帯電制御剤は、トナー粒子に帯電性を付与する。帯電性は、正帯電性および負帯電性のいずれであってもよい。外添剤は、トナー粒子の帯電性、流動性、保存安定性を調整する。
【００４５】
現像ローラ１４は、トナー収容部１３内のトナーを感光ドラム４の表面に供給する。現像ローラ１４は、感光ドラム４と接触する。なお、現像ローラ１４は、感光ドラム４と接触しなくてもよい。
【００４６】
現像装置７は、感光ドラム４および帯電装置５とともに、１つのプロセスユニットとして構成されてもよい。プロセスユニットは、本体筐体２に対して装着可能であってもよい。
【００４７】
また、現像装置７は、感光ドラム４および帯電装置５を有するドラムユニットに対して装着可能な現像カートリッジであってもよい。ドラムユニットは、本体筐体２に対して装着可能であってもよい。
【００４８】
また、現像装置７は、現像ローラ１４を備える現像器と、現像器に対して装着可能なトナーカートリッジとを備えてもよい。この場合、トナーカートリッジは、トナー収容部１３を備える。また、現像器は、ドラムユニットに設けられてもよい。現像器は、ドラムユニットに対して装着可能であってもよい。
【００４９】
１．７  転写装置
転写装置８は、トナー像を、感光ドラム４からシートＳに転写する。これにより、シートＳに、トナー像が、形成される。転写装置８は、感光ドラム４と接触する。なお、転写装置８は、感光ドラム４と接触しなくてもよい。転写装置８は、具体的には、転写ローラである。なお、転写装置８は、転写ベルトであってもよい。
【００５０】
１．８  定着装置
定着装置９は、定着液をトナー像に付与して、トナー像をシートＳに定着させる。詳しくは、定着装置９は、定着液を静電噴霧によりシートＳ上のトナー像に向けて噴霧することで、定着液をトナー像に付与する。すると、トナーの結着樹脂は、定着液によって軟化する。その後、軟化した結着樹脂が硬化することにより、トナーは、シートＳに定着する。これにより、トナー像は、シートＳに定着する。トナー像が定着したシートＳは、本体筐体２の外に排紙される。
【００５１】
２．定着装置の詳細
次に、図１から図４Ｂを参照して、定着装置９の詳細について説明する。
【００５２】
定着装置９は、図１に示すように、ノズルユニット９Ａと、対向電極９Ｂとを備える。
【００５３】
２．１  ノズルユニット
ノズルユニット９Ａは、トナー像が形成されたシートＳに定着液を噴霧する。ノズルユニット９Ａは、図２に示すように、筐体２１と、複数のノズル２２とを有する。
【００５４】
２．１．１  筐体
筐体２１は、定着液を収容可能である。筐体２１は、第１方向に延びる。第１方向は、感光ドラム４の軸Ａが延びる方向である。また、第１方向は、シートＳの幅方向である。
筐体２１は、第２方向において、外面Ｓ１と、外面Ｓ２とを有する。第２方向は、対向電極９Ｂ（図１参照）からノズルユニット９Ａに向かう方向である。第２方向は、第１方向と交差する。詳しくは、第２方向は、第１方向と直交する。外面Ｓ２は、第２方向において、外面Ｓ１から離れて位置する。外面Ｓ２は、第２方向において、外面Ｓ１よりも対向電極９Ｂの近くに位置する。筐体２１は、ノズル電極２１Ａを備える。
【００５５】
ノズル電極２１Ａは、画像形成装置１の電源Ｐ１（図１参照）と電気的に接続される。これにより、ノズル電極２１Ａには、電圧が印加される。筐体２１内の定着液は、ノズル電極２１Ａにより帯電される。
【００５６】
２．１．２  ノズル
複数のノズル２２は、筐体２１の外面Ｓ２に位置する。複数のノズル２２は、第２方向において、ノズル電極２１Ａと対向電極９Ｂ（図１参照）との間に位置する。複数のノズル２２のそれぞれは、筐体２１の外面Ｓ２から対向電極９Ｂに向かって延びる。複数のノズル２２のそれぞれは、第２方向に沿って延びる。複数のノズル２２は、筐体２１内の定着液を排出する。詳しくは、ノズル電極２１Ａと対向電極９Ｂとに電圧が印加された状態で、ノズル２２の先端を通る定着液は、ノズル電極２１Ａと対向電極９Ｂとの間の静電気力によってミスト化される。ミスト化された定着液は、ノズルユニット９Ａと対向電極９Ｂとの間を通過するシートＳ（図１参照）に付与される。
【００５７】
２．２  対向電極
対向電極９Ｂは、図１に示すように、第２方向において、ノズルユニット９Ａと間隔を隔てて位置する。対向電極９Ｂは、金属からなる。対向電極９Ｂは、図３Ａに示すように、第１平板３１と、複数の第１突起３２と、第２平板３３と、複数の第２突起３４と、複数の接続板３５と、接続端子３６とを有する。
【００５８】
２．２．１  第１平板
第１平板３１は、第１方向および第２方向に延びる。第１平板３１は、第２方向において、エッジＥ１とエッジＥ２とを有する。エッジＥ２は、第２方向において、エッジＥ１から離れて位置する。エッジＥ２は、第２方向において、エッジＥ１よりもノズルユニット９Ａ（図１参照）の近くに位置する。また、第１平板３１は、第１方向において、エッジＥ３とエッジＥ４とを有する。エッジＥ４は、第１方向において、エッジＥ３から離れて位置する。
【００５９】
２．２．２  第１突起
複数の第１突起３２のそれぞれは、図４Ａに示すように、第１平板３１のエッジＥ２から第２方向に延びる。これにより、対向電極９Ｂに電圧が印加された状態で、複数の第１突起３２のそれぞれの先端３２１に、静電気力が集中する。そのため、対向電極９Ｂに印加される電圧を高くすることなく、複数の第１突起３２のそれぞれの先端３２１に、強い電場を形成できる。詳しくは、複数の第１突起３２のそれぞれは、第２方向において、第１平板３１からノズルユニット９Ａへ向かうにつれて細くなる。これにより、複数の第１突起３２のそれぞれの先端３２１に、静電気力が、より集中する。具体的には、複数の第１突起３２のそれぞれは、二等辺三角形の平板である。なお、複数の第１突起３２のそれぞれは、円錐形状であってもよい。複数の第１突起３２のそれぞれの先端３２１は、円弧形状を有する。
【００６０】
複数の第１突起３２のそれぞれの第２方向における長さは、例えば、１ｍｍ以上、好ましくは、２ｍｍ以上である。複数の第１突起３２のそれぞれの第２方向における長さは、例えば、１０ｍｍ以下である。
【００６１】
また、図３Ｂに示すように、複数の第１突起３２のそれぞれの先端３２１は、第２方向において、ノズルユニット９Ａ（図４Ａ参照）と接続端子３６との間に位置する。そのため、対向電極９Ｂに電圧が印加された状態で、複数のノズル２２（図４Ａ参照）のそれぞれから噴霧された定着液は、接続端子３６よりも、複数の第１突起３２のそれぞれの先端３２１に引き寄せられる。
【００６２】
そして、複数の第１突起３２は、図４Ａに示すように、互いに間隔を隔てて、第１方向に沿って並ぶ。これにより、対向電極９Ｂに電圧が印加された状態で、第１方向に沿って強い電場が形成される。なお、隣り合う２つの第１突起３２の第１方向における間隔は、好ましくは、隣り合う２つのノズル２２の第１方向における間隔よりも小さい。隣り合う２つの第１突起３２の第１方向における間隔は、例えば、１０ｍｍ以下であり、好ましくは、５ｍｍ以下である。隣り合う２つの第１突起３２の第１方向における間隔は、例えば、２ｍｍ以上である。複数の第１突起３２の数は、複数のノズル２２の数よりも多い。これにより、複数のノズル２２から噴霧された定着液を、確実に、対向電極９Ｂに引き寄せることができる。複数の第１突起３２は、第２方向においてノズル２２と向かい合う対向突起３２Ａと、第２方向においてノズル２２と向かい合わない非対向突起３２Ｂとを含む。図４Ｂに示すように、対向突起３２Ａの先端３２１は、ノズル２２を第２方向に投影した場合、ノズル２２の投影面Ｐ内に入る。好ましくは、対向突起３２Ａの先端３２１は、ノズル２２を第２方向に投影した場合、ノズル２２の先端２２１と一致する。一方、非対向突起３２Ｂの先端３２１は、ノズル２２を第２方向に投影した場合、ノズル２２の投影面Ｐ内に入らない。非対向突起３２Ｂの先端３２１は、ノズル２２から定着液が噴霧される範囲Ｒ内に入る。
【００６３】
２．２．３  第２平板
第２平板３３は、図３Ａに示すように、第３方向において第１平板３１から離れて位置する。第３方向は、画像形成装置１の感光ドラム４（図１参照）から定着装置９（図１参照）に向けてシートＳ（図１参照）が搬送される方向である。第３方向は、第１方向および第２方向の両方と交差する。
【００６４】
第２平板３３は、第１方向および第２方向に延びる。第２平板３３は、第２方向において、エッジＥ１１とエッジＥ１２とを有する。エッジＥ１２は、第２方向において、エッジＥ１１から離れて位置する。エッジＥ１２は、第２方向において、エッジＥ１１よりもノズルユニット９Ａ（図１参照）の近くに位置する。
【００６５】
２．２．４  第２突起
複数の第２突起３４のそれぞれは、第２平板３３のエッジＥ１２からノズルユニット９Ａに向かって第２方向に延びる。複数の第２突起３４のそれぞれは、複数の第１突起３２のそれぞれと同じ形状を有する。これにより、複数の第２突起３４のそれぞれは、複数の第１突起３２のそれぞれと同じ機能を有する。複数の第２突起３４は、互いに間隔を隔てて、第１方向に沿って並ぶ。
【００６６】
２．２．５  接続板
複数の接続板３５のそれぞれは、第１方向および第３方向に延びる。複数の接続板３５のそれぞれの、第３方向における一端部は、第１平板３１のエッジＥ１と接続する。また、複数の接続板３５のそれぞれの、第３方向における他端部は、第２平板３３のエッジＥ１１と接続する。複数の接続板３５のそれぞれは、第１平板３１と第２平板３３とを電気的に接続する。これにより、対向電極９Ｂに電圧が印加された状態で、第１平板の電圧と第２平板の電圧とが同じになる。複数の接続板３５のそれぞれは、第１方向において、互いに間隔を隔てて並ぶ。
【００６７】
２．２．６  接続端子
接続端子３６は、第１方向における対向電極９Ｂの一端部に位置する。詳しくは、接続端子３６は、第１平板３１のエッジＥ３から延びる。接続端子３６は、画像形成装置１の電源Ｐ２（図１参照）と電気的に接続される。
【００６８】
詳しくは、図５に示すように、定着装置９は、フレーム９Ｃと、電極９Ｄとを備える。
【００６９】
フレーム９Ｃは、収容部９０を有する。収容部９０は、ノズルユニット９Ａから噴霧された定着液を収容可能である。収容部９０は、底壁９１と、側壁９２とを備える。底壁９１は、第２方向において、対向電極９Ｂに対してノズルユニット９Ａの反対側に位置する。側壁９２は、底壁９１から第２方向に延びる。対向電極９Ｂは、底壁９１に取り付けられている。
【００７０】
電極９Ｄは、側壁９２に取り付けられている、電極９Ｄは、画像形成装置１の電源Ｐ２（図１参照）と電気的に接続される。接続端子３６は、電極９Ｄと接触する。これにより、接続端子３６は、電極９Ｄを介して、画像形成装置１の電源Ｐ２と電気的に接続される。これにより、対向電極９Ｂには、電極９Ｄによって、電圧が印加される。
【００７１】
３．作用効果
定着装置９によれば、図３Ａに示すように、対向電極９Ｂは、複数の第１突起３２を有する。複数の第１突起３２は、対向電極９Ｂからノズルユニット９Ａ（図１参照）に向かって延びる。
【００７２】
対向電極９Ｂに電圧が印加された状態で、複数の第１突起３２のそれぞれの先端３２１には、静電気力が集中する。
【００７３】
そのため、対向電極９Ｂに印加される電圧を高くすることなく、複数の第１突起３２のそれぞれの先端３２１に、強い電場を形成できる。
【００７４】
そして、複数の第１突起３２は、第１方向に沿って並ぶ。
【００７５】
そのため、第１方向に沿って形成される強い電場により、複数のノズル２２のそれぞれから噴霧された定着液を、対向電極９Ｂに向かって安定して引き寄せることができる。
【００７６】
その結果、シートＳが帯電している場合であっても、複数のノズル２２のそれぞれから噴霧された定着液をシートＳに安定して付与することができる。
【００７７】
また、定着装置９によれば、図４Ａに示すように、複数の第１突起３２のそれぞれは、第２方向において、第１平板３１からノズルユニット９Ａへ向かうにつれて細くなる。
【００７８】
これにより、複数の第１突起３２のそれぞれの先端３２１に、静電気力を、より集中させることができる。
【００７９】
また、定着装置９によれば、図３Ａに示すように、複数の接続板３５のそれぞれは、第１平板３１と第２平板３３とを電気的に接続する。
【００８０】
これにより、対向電極９Ｂに電圧が印加された状態で、第１平板３１の電圧と第２平板３３の電圧とが同じになる。
【００８１】
その結果、複数の第１突起３２と複数の第２突起３４とで、均一な強さの電場を形成することができる。
【００８２】
また、定着装置９によれば、図３Ｂに示すように、複数の第１突起３２のそれぞれの先端３２１は、第２方向において、ノズルユニット９Ａ（図１参照）と接続端子３６との間に位置する。
【００８３】
そのため、対向電極９Ｂに電圧が印加された状態で、複数のノズル２２のそれぞれから噴霧された定着液は、接続端子３６よりも、複数の第１突起３２のそれぞれの先端３２１に引き寄せられる。
【００８４】
また、定着装置９によれば、図４Ａに示すように、複数の第１突起３２の数は、複数のノズル２２の数よりも多い。
【００８５】
これにより、複数のノズル２２から噴霧された定着液を、確実に、対向電極９Ｂに引き寄せることができる。
【００８６】
４．変形例
図６Ａから図９を参照して、変形例について説明する。なお、変形例において、上記した実施形態と同じ部材には同じ符号を付し、その説明を省略する。
【００８７】
（１）図６Ａに示すように、複数の第１突起３２および複数の第２突起３４は、第２方向においてノズル２２と向かい合う対向突起３２Ａを含まなくてもよい。複数の第１突起３２および複数の第２突起３４は、ノズル２２から定着液が噴霧される範囲Ｒ内に入っていればよく、ノズル２２の投影面Ｐ内に入らなくてもよい。
【００８８】
（２）図６Ｂに示すように、対向電極９Ｂは、第２平板３３を有さなくてもよい。
【００８９】
（３）図７および図８に示すように、電極９Ｄは、収容部９０の側壁９２に取り付けられなくてもよい。側壁９２は、開口９２１を有する。電極９Ｄは、開口９２１を通って、収容部９０の外側で、画像形成装置１の電源Ｐ２と電気的に接続される。電極９Ｄが開口９２１に通った状態で、電極９Ｄは、側壁９２から離間している。
【００９０】
詳しくは、電極９Ｄは、第３方向に延びる。第３方向は、シートＳがノズルユニット９Ａと対向電極９Ｂとの間を通過する方向である。第３方向は、第１方向および第２方向の両方と交差する。好ましくは、第３方向は、第１方向および第２方向の両方と直交する。電極９Ｄは、第１端子Ｔ１と、第２端子Ｔ２とを有する。
【００９１】
第１端子Ｔ１は、収容部９０内に位置する。第１端子Ｔ１は、収容部９０内において、対向電極９Ｂと電気的に接続される。第１端子Ｔ１は、第１方向における対向電極９Ｂの中央部と接触する。第１端子Ｔ１は、対向電極９Ｂの接続板３５と接触する。第１端子Ｔ１が対向電極９Ｂの接続板３５と接触した状態で、第１端子Ｔ１は、第２方向において、複数の第１突起３２のそれぞれの先端３２１よりも、ノズルユニット９Ａから離れて位置する。言い換えると、第１端子Ｔ１が対向電極９Ｂの接続板３５と接触した状態で、複数の第１突起３２のそれぞれの先端３２１は、第２方向において、ノズルユニット９Ａと第１端子Ｔ１との間に位置する。なお、この変形例では、図９に示すように、対向電極９Ｂは、接続端子３６を有さない。
【００９２】
第２端子Ｔ２は、収容部９０外に位置する。第２端子Ｔ２は、第１端子Ｔ１から離れて位置する。第２端子Ｔ２は、収容部９０外において、画像形成装置１の電源Ｐ２と電気的に接続される。
【００９３】
この変形例では、図７に示すように、電極９Ｄが側壁９２から離間しているため、対向電極９Ｂに印加される電圧によって側壁９２が帯電することを抑制できる。
【００９４】
そのため、ノズルユニット９Ａから噴霧された定着液のミストが側壁９２に引き寄せられることを抑制できる。
【００９５】
その結果、ノズルユニット９Ａは、対向電極９Ｂに向かって、定着液を安定に噴霧することができる。
【符号の説明】
【００９６】
９        定着装置
９Ａ      ノズルユニット
９Ｂ      対向電極
９Ｃ      フレーム
９Ｄ      電極
２１      筐体
２２      ノズル
３１      第１平板
３２      第１突起
３２Ａ    対向突起
３２Ｂ    非対向突起
３３      第２平板
３４      第２突起
３５      接続板
３６      接続端子
３２１    先端
９０      収容部
９１      底壁
９２      側壁
９２１    開口
Ｔ１      第１端子
Ｔ２      第２端子
Ｓ        シート
Ｐ２      電源
【図１】
2020166232.tif 000003
【図２】
2020166232.tif 000004
【図３】
2020166232.tif 000005
【図４】
2020166232.tif 000006
【図５】
2020166232.tif 000007
【図６】
2020166232.tif 000008
【図７】
2020166232.tif 000009
【図８】
2020166232.tif 000010
【図９】
2020166232.tif 000011